(57)【要約】【課題】ホットメルト形製本機における処理速度の高速化を図る。【解決手段】製本テープ4は、テープ基材5とホットメルト感熱接着剤層6と感圧粘着剤層7の三層構造となっている。感圧粘着剤層7はメッシュ形或いはストライプ形で、中間のホットメルト感熱接着剤層を感圧粘着剤層のメッシュの小穴内或いはストライプの間隙内へ露出させている。製本すべき冊子の背及び表紙と裏表紙へ製本テープを押しつけると、感圧粘着剤層の粘着作用により冊子へ貼り付き、冊子の背部を加熱することによりホットメルト感熱接着剤が溶融して紙の間に滲み込み、各頁の背部を相互に接着する。表紙及び裏表紙と製本テープとは製本テープの粘着作用により接着され、表紙及び裏表紙の部分を加熱しなくとも製本が可能であり、製本にかかる時間が短縮される。【選択図】図3
2005041094.tif 000002
【特許請求の範囲】
【請求項１】
テープ基材と、表面が常温で粘着性を有するホットメルト接着剤層とからなる製本テープ。
【請求項２】
テープ基材と、中間層のホットメルト接着剤層と、表層の粘着性を有する接着剤層とからなる製本テープ。
【請求項３】
テープ基材と、中間層のホットメルト接着剤層と、表層の粘着性を有する接着剤層とからなる製本テープであって、前記表層の接着剤層をメッシュ形或いはストライプ形に形成し、中間のホットメルト接着剤層を前記表層の接着剤層のメッシュの小穴内或いはストライプの間隙内へ露出させた構造の製本テープ。
【請求項４】
請求項1, 2または3の製本テープを用いた製本ファイル。
【発明の詳細な説明】
【技術分野】
【０００１】
この発明は、製本テープならびに製本ファイルに関するものであり、特に、ホットメルト型の製本テープと製本ファイルに関するものである。
【背景技術】
【０００２】
事務機の分野において、ホットメルト型製本テープとこの製本テープを用いる製本機が知られている（例えば、特許文献1、特許文献2等）。ホットメルト型製本テープは、布や耐熱性樹脂フィルム等のテープの一面にホットメルト感熱接着剤層を設けたものであり、ホットメルト型製本機は本の背となる部分にホットメルト型製本テープの中央部を溶着させる背部ヒータと、ホットメルト型製本テープの両脇（短手方向の両縁部）を折曲げて表紙及び裏表紙に溶着させるクランプ兼ヒータとを備えている
製本時には、１セットの紙束の背部をホットメルト型製本テープの中央部に押し付け、背部ヒータによりホットメルト型製本テープを加熱する。これにより、溶融したホットメルト感熱接着剤が紙の間に滲込む。この背部接着工程とほぼ同時に、背部ヒータの両脇に配置されているクランプ兼ヒータがホットメルト型製本テープの両脇を折り曲げつつ、紙束の表紙及び裏表紙をクランプし、製本テープの両脇を表紙及び裏表紙へ圧接する。そして、背部ヒータ及びクランプ兼ヒータから冊子を開放すると、ホットメルト感熱接着剤が瞬間的に固化して、冊子の各ページの背部が相互に接着されるとともに冊子の背部と表紙及び裏表紙に製本テープが接着されて製本を完了する。
【０００３】
このように、紙束の背部及び表紙と裏表紙へ製本テープをホットメルト接着するが、表紙及び裏表紙へ製本テープを接着するクランプ兼ヒータは、一般に背部ヒータからの熱伝導によって加熱するように構成されているので、背部ヒータよりも熱エネルギーが小さく、背部接着工程に比較して表紙及び裏表紙へ製本テープを接着するのに時間がかかり、電力消費量も大きいものである。
【０００４】
一方、製本テープの構造に関する提案例として、綴じ合わせストリップの細長い基板中央部に熱活性粘着帯を設け、熱活性粘着帯の周囲に粘着マトリックスを配置した粘着性綴じ合わせストリップが知られている（特許文献3）。この構成によれば、製本工程中に熱活性粘着帯が綴じ合わせストリップの長手方向の両端部から外へ流出することを防止でき、美麗な仕上がりが得られると記載されている。
【特許文献１】特開平09-277740号公報
【特許文献２】特開平07-304279号公報
【特許文献３】特表平09-509110号公報
【発明の開示】
【発明が解決しようとする課題】
【０００５】
テープの一面にホットメルト感熱接着剤層を設けた製本テープを用いてホットメルト型製本機で製本する場合は、背景技術として述べたように、表紙及び裏表紙へ製本テープを接着するのに時間がかかり、熱効率もよくないことから消費電力も多いという問題がある。
【０００６】
また、特許文献３に倣ってテープ上の接着剤層を区分けし、短手方向の中央部に接着力の強いホットメルト感熱接着剤を塗布し、その両横に粘着剤を塗布したストライプ構造とすれば、クランプにより表紙及び裏表紙へ製本テープを圧着することができて、製本を高速化することができるが、テープ上に接着剤層を区分して配列するには製造工程が複雑化して高コストとなる。また、製本する冊子の種々の厚さに対応するためには、製本テープの中央のホットメルト感熱接着剤の幅がそれぞれ異なる数種類の製本テープを提供しなければならず、品種が増えて製造者と使用者の双方にとってコスト面での負担が増大する。
【０００７】
そこで、製本を迅速化でき、且つ低コストの製本テープを提供するために解決すべき技術的課題が生じてくるのであり、本発明は上記課題を解決することを目的とする。
【課題を解決するための手段】
【０００８】
この発明は、上記目的を達成するために提案するものであり、テープ基材と、表面が常温で粘着性を有するホットメルト接着剤層とからなる製本テープを提供するものである。
【０００９】
また、テープ基材と、中間層のホットメルト接着剤層と、表層の粘着性を有する接着剤層とからなる製本テープを提供するものである。
【００１０】
また、テープ基材と、中間層のホットメルト接着剤層と、表層の粘着性を有する接着剤層とからなる製本テープであって、粘着性を有し加熱により溶融する前記表層の接着剤層をメッシュ形或いはストライプ形に形成し、中間のホットメルト接着剤層を前記表層の接着剤層のメッシュの小穴内或いはストライプの間隙内へ露出させた構造の製本テープを提供するものである。
【００１１】
また、上記の製本テープを用いた製本ファイルを提供するものである。
【発明の効果】
【００１２】
本発明の製本テープは、製本すべき冊子の背及び表紙と裏表紙へ押しつけると、粘着性を有する接着剤層またはホットメルト接着剤層の作用により冊子へ貼り付き、冊子の背部を加熱することによりホットメルト接着剤が溶融して紙の間に滲み込み、各頁の背部を相互に接着する。表紙及び裏表紙と製本テープとは製本テープの粘着作用により接着され、表紙及び裏表紙の部分を加熱しなくとも製本が可能であり、製本にかかる時間が短縮される。
【００１３】
また、テープ基材と粘着性を有するホットメルト接着剤層とからなる二層構造の製本テープ、或いはテープ基材とホットメルト接着剤層と粘着性を有する接着剤層とからなる三層構造の製本テープは、接着剤層や感圧粘着剤層を塗り分けて区分する構成に比較して塗布工程が簡単であるとともに、接着剤層と感圧粘着剤層を区分していないので一種類の製本テープで種々の厚さの冊子に対応することができる汎用性がある。
【発明を実施するための最良の形態】
【００１４】
以下、この発明の実施の一形態を図に従って詳述する。図１は、製本テープ1の構造を示し、布或いは樹脂フィルムのテープ基材2に、従来のホットメルト感熱接着剤に代えてホットメルト感圧粘着剤3を塗布してある。製本テープに適したホットメルト感圧粘着剤としては、室温で粘着性があり、僅かな圧力を加えるだけで対象物に付着する粘着性と、加熱により溶融して接着面に浸透するホットメルトとしての性質を備えているものであって、一例としてエチレン−酢酸ビニル共重合体（Ethylene vinyl acetate copolymer，EVA）の粘着剤で、特に酢酸ビニル含有量50−80%としたものがあげられる。
【００１５】
図２は他の構造の製本テープ4を示し、テープ基材5とホットメルト感熱接着剤層6と感圧粘着剤層7の三層構造としたものであり、中間のホットメルト感熱接着剤層6にはEVA系、ポリアミド系、ウレタン系、エラストマー系などのホットメルト感熱接着剤を用い、表面の感圧粘着剤層7は前述した二層構造の製本テープ1と同様にホットメルト型のものであってもよく、また常温で粘着性があり加熱により溶融するものであればホットメルトとしての性質を有しないものでもよい。
【００１６】
いずれにしても、図3に示すように、表面の感圧粘着剤層7は穴開き形またはストライプ形として中間のホットメルト感熱接着剤層6が表面へ溶出することができるように形成する。図においては、ホットメルト感熱接着剤層6を白で示し、感圧粘着剤層7を黒で示しており、感圧粘着剤層7の塗布パターンは、(b)の円穴メッシュ形、(c)の角穴メッシュ形、(d)の格子形、(e)の斜め格子形、(f)の縦ストライプ形、(g)の斜めストライプ形など種々の形状が考えられる。このような連続的なパターン印刷は簡単であり、従来技術して述べた特許文献3の「綴じ合わせストリップ」のように接着剤層を区分して塗り分ける構成よりもはるかに製造が容易である。また、一種類の製本テープで種々の厚さの冊子に対応できるという利点もある。
【００１７】
製本テープの供給形態は、製本機の製本テープ送り構造に応じて決定されるべきであり、長巻ロール形、所定の長さに切断したストリップ形、或いはストリップ形の製本テープをカセットに収容した形態での供給が考えられる。
【００１８】
図4乃至図6は製本ファイルの製作工程を示し、図1の二層構造の製本テープ1の場合について説明すると、図4に示すように、製本テープ1の中央部へ紙束Pの端面(本の背にする面)を当てつけるとホットメルト感圧粘着剤層3の作用で紙束Pが仮接着される。図5において11はホットメルト製本機の背部ヒータであり、背部ヒータ11の両脇にクランプ12が配置されている。予熱されている背部ヒータ11を製本テープ1へ押し付けて製本テープ1をシート基材側から加熱すると、ホットメルト感圧粘着剤3が溶融して紙束Pの端面に浸透する。
【００１９】
続いて、図6に示すように、クランプ12が綴じて製本テープ1を紙束Pの背と表紙との角で折り曲げ、製本テープ1の両側の縁を表紙と裏表紙とに圧着する。紙束Pの端面（背部）はホットメルト感圧粘着剤3を加熱浸透させて強力に接着する必要があるが、表紙と裏表紙は接着面積も広いことから感圧粘着の接着力でも十分である。したがって、ホットメルト製本機のクランプ12は、背部ヒータから熱が伝導されて加熱される構造や他の加熱手段を用いる構成としてもよいが、このような構成でなくとも製本することが可能である。また、図5の工程と図6の工程は同時に実施可能である。
【００２０】
図2の三層構造の製本テープ4の場合は、図5の加熱工程において中間層のホットメルト感熱接着剤6が溶融し、表層の感圧粘着剤層7の穴を通じて紙束Pの端面に浸透し、紙束Pの背部はホットメルト感熱接着剤6によって強力に接着され、表紙と裏表紙は感圧粘着剤層7によって接着される。
【００２１】
尚、本例ではホットメルト接着剤を溶融する手段として、ヒータを用いる場合についてのみ言及したが、超音波や電磁誘導による加熱方法などを適用することが可能である。また、説明の都合上、二層構造および三層構造として説明したが、テープ基材と表層の粘着性を有するホットメルト接着剤層からなる構造、またはテープ基材と粘着性を有する接着剤層との間にホットメルト接着剤層を介在させた構造を基本としてさらに中間層を設けた多層構造とすることも可能である。
【００２２】
また、この発明は上記の実施形態に限定するものではなく、この発明の技術的範囲内において種々の改変が可能であり、この発明がそれらの改変されたものに及ぶことは当然である。
【図面の簡単な説明】
【００２３】
【図１】二層構造の製本テープの構造解説図。
【図２】三層構造の製本テープの構造解説図。
【図３】三層構造の製本テープを示し、(a)は側面図、(b)乃至(g)は平面図である。
【図４】製本工程の解説図。
【図５】製本工程の解説図であり、(a)は側面図、(b)は正面図である。
【図６】製本工程の解説図であり、(a)は側面図、(b)は正面図である。
【符号の説明】
【００２４】
1      製本テープ
2      テープ基材
3      ホットメルト感圧粘着剤
4      製本テープ
5      テープ基材
6      ホットメルト感熱接着剤
7      感圧粘着剤
11     背部ヒータ
12     クランプ
【図１】
2005041094.tif 000003
【図２】
2005041094.tif 000004
【図３】
2005041094.tif 000005
【図４】
2005041094.tif 000006
【図５】
2005041094.tif 000007
【図６】
2005041094.tif 000008